(57)【要約】【課題】ロック解除操作の作業性を向上することが可能なコネクタハウジング及びコネクタを提供する。【解決手段】前方から相手側コネクタハウジングが嵌合されるハウジング本体２１と、前後方向における両端部が前記ハウジング本体２１に固定されるとともに、前後方向における中心部に前記相手側コネクタハウジングに係止する係止部４２が設けられてるロックアーム４０と、前記ロックアーム４０の後端部に配され、押圧操作することにより前記係止部４２を係止解除方向に変位させる押圧操作面４３と、前記押圧操作面４３を前記ロックアーム４０の前後方向における中心部に繋げる連結部４４と、を備えている。【選択図】図２
2019114488.tif 000002
【特許請求の範囲】
【請求項１】
前方から相手側コネクタハウジングが嵌合されるハウジング本体と、
前後方向における両端部が前記ハウジング本体に固定されるとともに、前後方向における中心部に前記相手側コネクタハウジングに係止する係止部が設けられているロックアームと、
前記ロックアームの後端部に配され、押圧操作することにより前記係止部を係止解除方向に変位させる押圧操作面と、
前記押圧操作面を前記ロックアームの前後方向における中心部に繋げる連結部と、
を備えているコネクタハウジング。
【請求項２】
前記連結部が、前記ロックアームの左右両側に連結された一対のアーム部を有し、前記押圧操作面が前記一対のアーム部にわたっている請求項１に記載のコネクタハウジング。
【請求項３】
前記押圧操作面に、押圧操作された時に前記ロックアームの後端部を逃がす切り欠き部が形成されている請求項１または請求項２に記載のコネクタハウジング。
【請求項４】
前記ハウジング本体が、前記ロックアームの前後方向における中間部において前記ロックアームの前記係止解除方向と反対側を覆う保護部を有し、
前記押圧操作面が、前記保護部より後側に位置している請求項１ないし請求項３のいずれか一項に記載のコネクタハウジング。
【請求項５】
請求項１ないし請求項４のいずれか一項に記載のコネクタハウジングと、
前記ハウジング本体に収容されている端子金具とを備えているコネクタ。
【請求項６】
前記端子金具が、同軸線の端末に接続される同軸端子である請求項５に記載のコネクタ。
【発明の詳細な説明】
【技術分野】
【０００１】
本発明は、コネクタハウジング及びコネクタに関する。
【背景技術】
【０００２】
従来、相手側コネクタハウジングが前方から嵌合されるハウジング本体と、相手側コネクタハウジングに係止してコネクタを正規嵌合状態にロックするロックアームとを備えたコネクタハウジングが知られている。例えば下記特許文献１記載のコネクタハウジングは、前後方向における両端部がハウジング本体に固定された両持ち状のロックアームを備えている。ロックアームが両持ち状であることにより、片持ち状のロックアームに比べて相手側コネクタハウジングとの嵌合時の前後方向のガタつきを小さくすることができる。このロックアームの上面には、前後方向における中央部よりやや前寄りの位置にロック突部が設けられ、ロック突部より若干後側の位置に、ロック解除操作のための操作片が突設されている。操作片は、コネクタの正規嵌合状態では、相手側コネクタハウジングのフード部の外側に配されるようになっており、操作片を下方に押圧することによりロックアームを下方（係止解除方向）に弾性変位させ、ロック解除がなされる。
【先行技術文献】
【特許文献】
【０００３】
【特許文献１】特開２００１−３１９７３２号公報
【発明の概要】
【発明が解決しようとする課題】
【０００４】
しかしながら、上記のような構成では、コネクタの正規嵌合状態において、操作片が相手側コネクタハウジングのフード部に近接しているため、操作片のみを押圧操作することが難しい。そこで、操作片をフード部から離すべくロックアームの後端部（固定端の近傍）に配置すると、ロックアームを係止解除方向に撓ませることが困難になるため、ロック解除操作の作業性を向上するための工夫が望まれていた。
【０００５】
本発明は上記のような事情に基づいて完成されたものであって、ロック解除操作の作業性を向上することが可能なコネクタハウジング及びコネクタを提供することを目的とする。
【課題を解決するための手段】
【０００６】
本発明のコネクタハウジングは、前方から相手側コネクタハウジングが嵌合されるハウジング本体と、前後方向における両端部が前記ハウジング本体に固定されるとともに、前後方向における中心部に前記相手側コネクタハウジングに係止する係止部が設けられているロックアームと、前記ロックアームの後端部に配され、押圧操作することにより前記係止部を係止解除方向に変位させる押圧操作面と、前記押圧操作面を前記ロックアームの前後方向における中心部に繋げる連結部と、を備えているものである。
【０００７】
本発明のコネクタは、前記コネクタハウジングと、前記ハウジング本体に収容されている端子金具とを備えているものである。
【発明の効果】
【０００８】
本発明によれば、ロックアームの後端部に配された押圧操作面を押圧することにより、ロックアームを係止解除方向に容易に変位させることができるから、ロック解除操作の作業性を向上することができる。
【図面の簡単な説明】
【０００９】
【図１】本実施例におけるコネクタを示す分解斜視図
【図２】コネクタを示す断面図
【図３】同軸端子を示す斜視図
【図４】コネクタハウジングを示す正面図
【図５】コネクタハウジングを示す背面図
【図６】コネクタハウジングを示す平面図
【図７】コネクタハウジングを示す底面図
【図８】コネクタハウジングを示す側面図
【発明を実施するための形態】
【００１０】
本発明の好ましい形態を以下に示す。
本発明のコネクタハウジングは、前記連結部が、前記ロックアームの左右両側に連結された一対のアーム部を有し、前記押圧操作面が前記一対のアーム部にわたっているものとしてもよい。このような構成によれば、押圧操作面の幅寸法を大きく確保することができるから、より押圧操作面に指を当てやすくなり、もってロック解除操作の作業性をさらに向上することができる。
【００１１】
本発明のコネクタハウジングは、前記押圧操作面に、押圧操作された時に前記ロックアームの後端部を逃がす切り欠き部が形成されているものとしてもよい。このような構成によれば、ロックアームの撓み空間を小さくすることができるから、コネクタハウジングを低背化することができる。
【００１２】
また、本発明のコネクタハウジングは、前記ハウジング本体が、前記ロックアームの前後方向における中間部において前記ロックアームの前記係止解除方向と反対側を覆う保護部を有し、前記押圧操作面が、前記保護部より後側に位置しているものとしてもよい。このような構成によれば、ロックアームの前後方向における中間部が不用意に係止解除方向に押圧されることを防ぐことができる一方、押圧操作面を押圧する作業は容易に行うことができる。
【００１３】
また、本発明のコネクタは、前記端子金具が、同軸線の端末に接続される同軸端子であるものとしてもよい。ここで、同軸コネクタにおいて正規嵌合状態におけるガタつきが大きい場合には、特性インピーダンスに乱れが生じ、同軸線の高周波特性に影響を与えてしまうという問題がある。しかしながら、本構成によれば、コネクタハウジングのロックアームが両持ち状であることからコネクタの正規嵌合状態におけるガタつきを小さくすることができ、もって高周波特性のばらつきを抑制する点で有利なものとすることができる。
【００１４】
＜実施例＞
以下、本発明を具体化した一実施例について、図１〜図８を参照しつつ詳細に説明する。
本実施例におけるコネクタＣは、電線Ｗの端末部に接続された端子金具１０と、端子金具１０が収容されているコネクタハウジング２０とを備えている。コネクタＣは、図示しない相手側の雄型のコネクタと嵌合可能な雌型のコネクタである。以下、各構成部材において、コネクタＣにおける相手側コネクタとの嵌合面側（図１の左手前側）を前方、その反対側（図１の右奥側）を後方とし、また図１の上側（ロックアーム４０が設けられている側）を上方、下側を下方として説明する。
【００１５】
電線Ｗは、導電性を有する中心導体と、中心導体の外周を包囲する絶縁性の被覆と、被覆の外周を包囲する導電性を有するシールド層と、シールド層の外周を包囲する絶縁性のシースとを備えた同軸線である。中心導体は、複数の素線を撚り合わせてなる撚線等であり、シールド層は、金属素線を網状に編成してなる編組線等である。中心導体は高周波信号を伝送し、シールド層は電磁波をシールドする。電線Ｗは、シースと被覆とを皮剥ぎすることによって、先端側から順に中心導体及びシールド層が露出する形態になっている。
【００１６】
端子金具１０は、同軸線の端末部に接続された同軸端子であり、電線Ｗの中心導体及び被覆に圧着接続される内導体（図示せず）と、シールド層及びシースに圧着接続される外導体１２と、内導体と外導体１２との間に配される絶縁性の合成樹脂材料からなる誘電体１１と、を備えている。
【００１７】
内導体は金属板を曲げ加工等して全体として前後方向に細長い形状に成形されている。内導体の前端部には相手側端子金具の内導体に接続される接続部が設けられている。接続部は誘電体１１の挿入孔１３の奥に配されている。外導体１２は金属板を曲げ加工等して内導体より一回り大きい断面円形状をなす筒状に成形されている。外導体１２には、相手側端子金具の外導体に弾性的に接触する接触部１４が設けられている。
【００１８】
端子金具１０には、一対のスタビライザ１５Ａ，１５Ｂが設けられている。一対のスタビライザ１５Ａ，１５Ｂは、端子金具１０の上下方向における上端と下端とに一ずつ設けられている。一対のスタビライザ１５Ａ，１５Ｂは、端子金具１０から同方向（本実施例では左方向）に突出している。各スタビライザ１５Ａ，１５Ｂは外導体１２に一体に設けられたものであり、外導体１２を構成する金属板が二重に重ねられてなる板状をなし、上下方向に対して略直交する（水平な）板面を有している。
【００１９】
一対のスタビライザ１５Ａ，１５Ｂには、後述するコネクタハウジング２０のランス２３及びリテーナ６０がそれぞれ係止するようになっている。各スタビライザ１５Ａ，１５Ｂの後端は、前後方向とほぼ直交する係止受面１６とされている。一対のスタビライザ１５Ａ，１５Ｂのうち一方のスタビライザ（図１で上側に位置するスタビライザ）１５Ａにランス２３が係止し、他方のスタビライザ１５Ｂにリテーナ６０が係止する。一方のスタビライザ１５Ａの前後方向の長さ寸法は、他方のスタビライザ１５Ｂの前後方向の長さ寸法より小さくされている。なお、一対のスタビライザ１５Ａ，１５Ｂは、前端の位置が前後方向においてほぼ同位置であり、後端（係止受面１６）の位置が前後方向にずれている。
【００２０】
コネクタハウジング２０は合成樹脂製であって、前方から相手側コネクタハウジングが嵌合されるハウジング本体２１と、正規嵌合状態に至った相手側コネクタハウジングに係止してロック状態に保持するロックアーム４０とを備えている。
【００２１】
ハウジング本体２１は、相手側コネクタハウジングのフード部に内嵌可能とされている。ハウジング本体２１は、前後方向に長い筒状をなし、内部には端子金具１０が収容される端子収容室２２が設けられている。端子収容室２２は、端子金具１０の外形に沿う形状をなしている。端子収容室２２は、ハウジング本体２１に前後方向に貫通して設けられ、後方から端子金具１０を挿入可能とされている。
【００２２】
端子収容室２２には、図２に示すように、正規位置に挿入された端子金具１０に係止して端子金具１０の抜け止めをするランス２３が設けられている。ランス２３は、片持ち状をなして前方に延出する形態をなしている。ランス２３の先端部（前端部）は、端子収容室２２内に突出し、ランス２３の前面は端子金具１０に係止する係止面２４とされている。ランス２３は、図４に示すように、端子収容室２２の左右方向における片側に寄った位置に設けられている。
【００２３】
ハウジング本体２１には、図２に示すように、端子金具１０に係止するリテーナ６０が装着されている。リテーナ６０が装着されるリテーナ装着部２５は、ハウジング本体２１の下面に開口するとともに端子収容室２２に連通している。リテーナ装着部２５は、図１に示すように、リテーナ６０が係止する仮係止部２６及び本係止部２７を有している。仮係止部２６及び本係止部２７は、ハウジング本体２１の左右両側面に上下に並んで突設されている。
【００２４】
リテーナ６０は合成樹脂製であって、端子金具１０に係止する係止面６１を有するリテーナ本体６２と、ハウジング本体２１に係止する一対の係止板６３とを備えている。リテーナ本体６２は、リテーナ装着部２５の下端開口を塞ぐ矩形平板状をなしている。一対の係止板６３は、リテーナ本体６２の左右両端から上方に立ち上がっている。
【００２５】
リテーナ６０は、一対の係止板６３がハウジング本体２１の仮係止部２６に係止することにより、係止面６１が端子収容室２２から対比して端子金具１０の挿抜が可能である仮係止位置に保持される。またリテーナ６０は、一対の係止板６３がハウジング本体２１の本係止部２７に係止することにより、係止面６１が端子収容室２２に進出して端子金具１０を抜け止めする本係止位置に保持される。
【００２６】
係止面６１は、図１に示すように、リテーナ本体６２の前面において一段前方に突出した位置に設けられている。また、係止面６１は、リテーナ本体６２の上面に対して略垂直に立ち上がっている。係止面６１は、リテーナ本体６２の左右方向における一端側に寄った位置に設けられている。係止面６１の後側には、リテーナ本体６２の上面に突設された突条部６４が繋がっている。突条部６４は、前後方向に長いリブ状をなしている。
【００２７】
ハウジング本体２１の上面には、図６に示すように、左右両側縁に沿って一対のリブ２８が立てられている。一対のリブ２８は、ハウジング本体２１の概ね全長にわたって前後方向に延びている。各リブ２８のうち後述する保護部２９より前側のリブ２８（以後、前側リブ２８Ｆと称する）の上面は、後側のリブ２８（以後、後側リブ２８Ｌと称する）の上面よりも一段上方に位置している（図８参照）。
【００２８】
ハウジング本体２１の上面には、相手側コネクタハウジングに弾性的に係止して、コネクタを正規嵌合状態に保持する両持ち状のロックアーム４０が設けられている。ロックアーム４０は、図２に示すように、前後方向における両端部がハウジング本体２１に固定されているロックアーム本体４１と、ロックアーム本体４１の上面に設けられた係止部４２と、ロックアーム本体４１の後端部の上方に設けられた押圧操作面４３と、押圧操作面４３とロックアーム本体４１とを連結する連結部４４と、を備えている。
【００２９】
ロックアーム本体４１は、図２に示すように、ハウジング本体２１の前端から後端にわたっている。ロックアーム本体４１の前端（以後、前端固定部４７と称する）は、図１に示すように、ハウジング本体２１の上面のうち一対の前側リブ２８Ｆの間に連結されている。ロックアーム本体４１の前端固定部４７は、一対の前側リブ２８Ｆの間のほぼ全幅にわたる幅寸法を備えている。ロックアーム本体４１の後端（以後、後端固定部４８と称する）は、ハウジング本体２１の上面のうち一対の後側リブ２８Ｌの間に連結されている。
【００３０】
ロックアーム本体４１の略前半部分は、図６に示すように、相対的に幅寸法が大きい平板状をなす幅広部４５とされ、略後半部分は、相対的に幅寸法が小さい幅狭部４６とされている。幅広部４５の厚さ寸法（上下方向の寸法）は、図２に示すように、幅狭部４６の厚さ寸法（上下方向の寸法）より小さく、ロックアーム本体４１の上面は、幅広部４５の上面が幅狭部４６の上面より一段下がっている。幅広部４５の上面は、前側リブ２８Ｆの上面より下方に位置し、幅狭部４６の上面は、後側リブ２８Ｌの上面より上方に位置している。ロックアーム本体４１の下面は、幅広部４５から幅狭部４６にわたり、段差のない平坦な面とされている。ロックアーム本体４１の下方に形成された撓み空間Ｓは、上下方向の寸法が全体において一定とされている。なお、後側リブ２８Ｌの上面は、幅狭部４６の下面より下方に位置している。
【００３１】
係止部４２は、図２に示すように、ロックアーム本体４１の前後方向における中心部（中央より若干前側に寄った位置）に設けられている。係止部４２は、ロックアーム本体４１の上面に突設されている。係止部４２の前面は、前端から後方に向かって次第に突出寸法が増す傾斜面であり、後面は、前後方向に対して略直交して切り立った面である。係止部４２の幅寸法は、幅狭部４６の幅寸法と同等の寸法とされている。
【００３２】
押圧操作面４３は、ロックアーム４０の後端部に配され、押圧操作することにより係止部４２を係止解除方向に変位させる。押圧操作面４３は、図２に示すように、ロックアーム４０の係止解除方向に対して略直交する水平な面である。押圧操作面４３の幅寸法は、図６に示すように、幅広部４５の幅寸法より若干大きい寸法とされている。押圧操作面４３の後端は、ロックアーム本体４１の後端固定部４８の上方に位置している。
【００３３】
押圧操作面４３には、押圧操作された時にロックアーム本体４１の後端固定部４８を逃がす切り欠き部５２が形成されている（図６参照）。切り欠き部５２は、後方に開放された方形状をなしている。切り欠き部５２の幅寸法は、後端固定部４８が下方から入り込み可能な寸法とされている。
【００３４】
連結部４４は、図２に示すように、押圧操作面４３をロックアーム４０の前後方向における中心部に繋いでいる。連結部４４は、図５に示すように、ロックアーム４０の左右両側に連結された一対のアーム部４９を有している。押圧操作面４３は、一対のアーム部４９にわたっており、一対のアーム部４９の上面は、押圧操作面４３の一部を構成している。
【００３５】
各アーム部４９は、図８に示すように、ロックアーム本体４１の幅狭部４６の左右両側において上方に立ち上がった壁状をなしている。各アーム部４９の前端部は、幅狭部４６の左右両側面及び幅広部４５の後面に連結されている。各アーム部４９の前端部（以後、アーム連結部５１と称する）より後側は幅狭部４６から離れている。アーム連結部５１は、ロックアーム本体４１の左右両側面において係止部４２より若干後側に位置している。
【００３６】
各アーム部４９の前面は、図２に示すように、前後方向に対して略直交をなして立ち上がっている。各アーム部４９の下面は、アーム連結部５１から後方に向かって次第に上る傾斜をなしている。各アーム部４９の高さ寸法（上下方向の寸法）は、アーム連結部５１から後方に向かって次第に小さくなっている。
【００３７】
ハウジング本体２１は、図１に示すように、ロックアーム４０の上側（係止解除方向と反対側）を覆う保護部２９を有している。保護部２９は、ハウジング本体２１の上面に立設された一対の保護脚部３１と、一対の保護脚部３１の上端にわたる保護壁部３２とを備え、全体として略門型をなしている。一対の保護脚部３１の下端には、前側リブ２８Ｆ及び後側リブ２８Ｌが繋がっている。
【００３８】
保護部２９は、ロックアーム本体４１の前後方向における中間部に位置し、アーム連結部５１と前後方向の位置がほぼ一致している。一対の保護脚部３１の前面とアーム部４９の前面とは、前後方向において同じ位置とされている。押圧操作面４３は、保護部２９より後側に位置している（図２参照）。
【００３９】
保護壁部３２には、図６に示すように、押圧操作面４３に対応する領域に窪み部３３が設けられている。窪み部３３は、保護壁部３２の左右方向における中央部に設けられている。窪み部３３は、保護壁部３２の後縁を部分的に前方に窪ませた部分である。窪み部３３が設けられていることで、保護壁部３２の前後方向の寸法が部分的に小さくなっている。窪み部３３の左右両端部は、左右方向における端から中央に向かって次第に窪み寸法が増すテーパ部３４とされている。テーパ部３４を含む窪み部３３の左右方向の寸法は、押圧操作面４３の同方向の寸法と同等である。
【００４０】
次に、本実施形態のコネクタの離脱作業の一例を説明する。
コネクタの正規嵌合状態では、ハウジング本体２１の略前半部が相手側コネクタハウジングのフード部に内嵌し、保護部２９がフード部に近接した状態になっている。また、端子金具１０が相手端子金具に導通接続されている。内導体が相手側の内導体に接触することにより、信号用の導電路が形成され、外導体１２が相手側の外導体に接触することにより、シールド用の導電路が形成されている。
【００４１】
正規嵌合状態のコネクタを離脱するためには、保護部２９から後方に突出している押圧操作面４３に指をあて、押圧操作面４３を下方に押圧する。押圧操作面４３は、ロックアーム４０の後端部に位置しているから、広く上方に露出している。押圧操作面４３を押圧操作すると、押圧操作面４３が下方に変位し、押圧操作面４３の切り欠き部５２にロックアーム４０の後端固定部４８が入り込む。また、押圧操作面４３とともに連結部４４が下方に変位し、連結部４４が繋がっているロックアーム本体４１の中央部が下方に変位する。これにより係止部４２が下方（係止解除方向）に変位し、相手側コネクタハウジングとのロック状態が解除される。押圧操作面４３を押圧した状態で、コネクタハウジング２０を相手側コネクタハウジングから引き離すと、コネクタが離脱される。
以上により、コネクタＣの離脱作業が完了する。
【００４２】
次に、上記のように構成された実施例の作用および効果について説明する。
本実施例のコネクタハウジング２０は、前方から相手側コネクタハウジングが嵌合されるハウジング本体２１と、前後方向における両端部がハウジング本体２１に固定されるとともに、前後方向における中心部に相手側コネクタハウジングに係止する係止部４２が設けられているロックアーム４０と、ロックアーム４０の後端部に配され、押圧操作することにより係止部４２を係止解除方向に変位させる押圧操作面４３と、押圧操作面４３をロックアーム４０の前後方向における中心部に繋げる連結部４４と、を備えている。この構成によれば、ロックアーム４０の後端部に配された押圧操作面４３を押圧することにより、ロックアーム４０を容易に係止解除方向に変位させることができるから、押圧操作面４３を相手側コネクタハウジングのフード部から離れた位置に配置することができる。したがって、ロック解除操作の作業性を向上することができる。
【００４３】
また、連結部４４が、ロックアーム４０の左右両側に連結された一対のアーム部４９を有し、押圧操作面４３が一対のアーム部４９にわたっている。この構成によれば、押圧操作面４３の幅寸法を大きく確保することができるから、より押圧操作面４３に指をあてやすくなり、もってロック解除操作の作業性をさらに向上することができる。
【００４４】
また、押圧操作面４３に、押圧操作された時にロックアーム４０の後端部を逃がす切り欠き部５２が形成されている。この構成によれば、ロックアーム４０の撓み空間Ｓを小さくすることができるから、コネクタハウジング２０を低背化することができる。
【００４５】
また、ハウジング本体２１が、ロックアーム４０の前後方向における中間部においてロックアーム４０の上側（係止解除方向と反対側）を覆う保護部２９を有し、押圧操作面４３が、保護部２９より後側に位置している。この構成によれば、ロックアーム４０の前後方向における中間部が不用意に係止解除方向に押圧されることを防ぐことができる一方、押圧操作面４３を押圧する作業は容易に行うことができる。
【００４６】
また、本実施例のコネクタＣは、ハウジング本体２１に収容されている端子金具１０が、同軸線の端末に接続された同軸端子である。ここで、ロックアームが片持ち状である場合には、ロックアームの自由端に設けられた係止部が、固定端を支点として円弧を描くように変位して相手側に係止するため、係止部分に所定のクリアランスが必要であり、コネクタの正規嵌合状態におけるがたつきが大きくなりがちである。同軸コネクタにおいて正規嵌合状態におけるガタつきが大きい場合には、特性インピーダンスに乱れが生じ、同軸線の高周波特性に影響を与えてしまうという問題があるところ、本構成によれば、コネクタハウジング２０のロックアーム４０が両持ち状であることからコネクタの正規嵌合状態におけるガタつきを小さくすることができ、もって高周波特性のばらつきを抑制する点で有利なものとすることができる。
【００４７】
＜他の実施例＞
本発明は上記記述及び図面によって説明した実施例に限定されるものではなく、例えば次のような実施例も本発明の技術的範囲に含まれる。
（１）上記実施例では、ハウジング本体２１が、相手側コネクタハウジングのフード部に内嵌するものである場合を例示したが、これに限らず、本発明は、ハウジング本体が相手側コネクタハウジングに外嵌するものにも適用することができる。
（２）上記実施例では、連結部４４が、ロックアーム４０の左右両面に連結された一対のアーム部４９を有しているが、これに限らず、連結部は、押圧操作面をロックアームの前後方向における中心部に繋げるものであればどのような形態のものであってもよく、例えば一つのアーム部で押圧操作面とロックアームとを連結してもよい。
（３）上記実施例では、押圧操作面４３に切り欠き部５２が形成されているが、必ずしも切り欠き部を設けなくてもよい。
（４）上記実施例では、ハウジング本体２１が保護部２９を有しているが、必ずしも保護部を設けなくてもよい。
（５）上記実施例では、端子金具１０が同軸端子である場合を例示したが、必ずしも端子金具は同軸端子でなくてもよい。
【符号の説明】
【００４８】
Ｃ…コネクタ
１０…端子金具
２０…コネクタハウジング
２１…ハウジング本体
２９…保護部
４０…ロックアーム
４２…係止部
４３…押圧操作面
４４…連結部
４９…アーム部
５２…切り欠き部
【図１】
2019114488.tif 000003
【図２】
2019114488.tif 000004
【図３】
2019114488.tif 000005
【図４】
2019114488.tif 000006
【図５】
2019114488.tif 000007
【図６】
2019114488.tif 000008
【図７】
2019114488.tif 000009
【図８】
2019114488.tif 000010